(57)【要約】【課題】後方互換性を維持しながらスモールギャップメジャメントによる異周波測定を実現するための技術を提供することである。【解決手段】本発明の一態様は、基地局との間で無線信号を送受信する送受信部と、前記基地局から受信した異周波測定指示に基づき、スモールギャップメジャメントの適用が指示されているか判断するスモールギャップメジャメント判定部と、前記スモールギャップメジャメントの適用が指示されていると判断すると、前記スモールギャップメジャメントを実行する異周波測定部とを有するユーザ装置に関する。【選択図】図４
2015186034.tif 000002
【特許請求の範囲】
【請求項１】
基地局との間で無線信号を送受信する送受信部と、
前記基地局から受信した異周波測定指示に基づき、スモールギャップメジャメントの適用が指示されているか判断するスモールギャップメジャメント判定部と、
前記スモールギャップメジャメントの適用が指示されていると判断すると、前記スモールギャップメジャメントを実行する異周波測定部と、
を有するユーザ装置。
【請求項２】
前記異周波測定部は、前記異周波測定指示に含まれるメジャメントギャップパターンＩＤに対応するメジャメントギャップの最初のサブフレームと最後のサブフレームとにおいて異周波測定を実行することによって、前記スモールギャップメジャメントを実行する、請求項１記載のユーザ装置。
【請求項３】
前記スモールギャップメジャメント判定部は、前記異周波測定指示に含まれるスモールギャップメジャメント通知に設定された値に基づき、前記スモールギャップメジャメントの適用が指示されているか判断する、請求項１又は２記載のユーザ装置。
【請求項４】
前記スモールギャップメジャメント判定部は、前記スモールギャップメジャメントの適用を指示するスモールギャップメジャメント通知が前記異周波測定指示に含まれているかに基づき、前記スモールギャップメジャメントの適用が指示されているか判断する、請求項１又は２記載のユーザ装置。
【請求項５】
前記スモールギャップメジャメントの適用が指示されていないと判断すると、前記異周波測定部は、前記異周波測定指示に含まれるメジャメントギャップパターンＩＤに対応するメジャメントギャップにおいて異周波測定を実行する、請求項１乃至４何れか一項記載のユーザ装置。
【請求項６】
前記異周波測定部は、測定対象の各キャリアにおけるスモールギャップメジャメントの適用可否を示すスモールギャップメジャメント適用可否情報を有し、
前記送受信部は、前記基地局に前記スモールギャップメジャメント適用可否情報を送信する、請求項１乃至５何れか一項記載のユーザ装置。
【請求項７】
ユーザ装置との間で無線信号を送受信する送受信部と、
前記ユーザ装置に異周波測定を指示する異周波測定指示部と、
を有する基地局であって、
前記送受信部は、測定対象の各キャリアにおけるスモールギャップメジャメントの適用可否を示すスモールギャップメジャメント適用可否情報を前記ユーザ装置から受信し、
前記異周波測定指示部は、前記受信したスモールギャップメジャメント適用可否情報に基づきスモールギャップメジャメントの適用要否の指示を含む異周波測定指示を前記ユーザ装置に通知する基地局。
【請求項８】
前記異周波測定指示部は、前記受信したスモールギャップメジャメント適用可否情報に基づき、測定対象の各キャリアについてスモールギャップメジャメントが適用可能であるか判断し、前記測定対象の全てのキャリアにスモールギャップメジャメントが適用可能である場合、前記スモールギャップメジャメントの適用の指示を示す異周波測定指示を前記ユーザ装置に通知し、前記測定対象のキャリアの少なくとも１つにスモールギャップメジャメントが適用不可である場合、前記スモールギャップメジャメントの不適用の指示を示す異周波測定指示を前記ユーザ装置に通知する、請求項７記載の基地局。
【請求項９】
前記異周波測定指示部は、メジャメントギャップを特定するメジャメントギャップパターンＩＤと共に、前記スモールギャップメジャメントの適用の指示を示す値が設定されたスモールギャップメジャメント設定通知を前記異周波測定指示に含めることによって、前記スモールギャップメジャメントの適用の指示を示す、請求項７又は８記載の基地局。
【請求項１０】
基地局によるユーザ装置に異周波測定を指示する方法であって、
測定対象の各キャリアにおけるスモールギャップメジャメントの適用可否を示すスモールギャップメジャメント適用可否情報を前記ユーザ装置から受信するステップと、
前記受信したスモールギャップメジャメント適用可否情報に基づき、前記測定対象の各キャリアについてスモールギャップメジャメントが適用可能であるか判断するステップと、
前記測定対象の全てのキャリアにスモールギャップメジャメントが適用可能であると判断すると、前記スモールギャップメジャメントの適用指示を示す異周波測定指示を前記ユーザ装置に通知するステップと、
を有する方法。
【発明の詳細な説明】
【技術分野】
【０００１】
本発明は、無線通信システムに関する。
【背景技術】
【０００２】
現在、複数の周波数帯域を利用したキャリアアグリゲーションの導入が進められている。キャリアグリゲーションに対応したユーザ装置には、複数のＲＦ（Ｒａｄｉｏ  Ｆｒｅｑｕｅｎｃｙ）回路を備えることが想定されていた。各周波数帯域に固有のＲＦ回路が備えられるため、ユーザ装置は、メジャメントギャップを設定する必要なく異周波測定を実行可能であることが想定されていた。
【０００３】
一方、このような複数の周波数帯域のキャリアアグリゲーションに対応するユーザ装置を１つのＲＦ回路により実現することが検討されている。１つのＲＦ回路によりユーザ装置を実現することによって、消費電力の削減や製造コストの低減などの効果が期待されている。この場合、ユーザ装置に対して異周波測定を実行するためのメジャメントギャップを設定する必要があり、これを実現するための議論が標準化において行われている。
【０００４】
図１に示されるように、既存のメジャメントギャップの長さは、典型的には６ｍｓに設定されており、当該期間ではユーザ装置はダウンリンクデータを受信することができない。さらに、送信されたデータに対して４ｍｓ後に返されるＡＣＫ／ＮＡＣＫのＨＡＲＱ（Ｈｙｂｒｉｄ  Ａｕｔｏｍａｔｉｃ  Ｒｅｐｅａｔ  Ｒｅｑｕｅｓｔ）フィードバックのための期間を確保すると、メジャメントギャップに先行する４ｍｓの期間もまた実質的にダウンリンクデータの送信に利用することはできない。これは、アップリンクデータにもあてはまり、６ｍｓの期間ではユーザ装置はアップリンクデータを送信することができない。
【０００５】
このような送信不可期間を短縮するための１つの手段として、スモールギャップメジャメントが提案されている。スモールギャップメジャメントでは、図２に示されるように、既存のメジャメントギャップの最初と最後の２つのサブフレームのみで異周波測定（ｉｎｔｅｒ−ｆｒｅｑｕｅｎｃｙ  ｍｅａｓｕｒｅｍｅｎｔ）を実行し、他のサブフレームではダウンリンクデータがスケジューリングされる。
【先行技術文献】
【非特許文献】
【０００６】
【非特許文献１】3GPP R4-140766 "Discussion on interruptions in measurement without gaps"
【発明の概要】
【発明が解決しようとする課題】
【０００７】
提案されているスモールギャップメジャメントでは、ＡＳＮ（Ａｂｓｔｒａｃｔ  Ｓｙｎｔａｘ  Ｎｏｔａｔｉｏｎ）．１の信号を変更することなく、既存のＲＲＣ（Ｒａｄｉｏ  Ｒｅｓｏｕｒｃｅ  Ｃｏｎｔｒｏｌ）シグナリングやユーザ装置からの能力情報を用いてスモールギャップメジャメントを実現することが提案されている。
【０００８】
しかしながら、当該スモールギャップメジャメントは、既存の信号を変更せずその意味を変更することにより実現されるため、後方互換性を維持することができない。
【０００９】
上記問題点を鑑み、本発明の１つの課題は、後方互換性を維持しながらスモールギャップメジャメントによる異周波測定を実現するための技術を提供することである。
【課題を解決するための手段】
【００１０】
上記課題を解決するため、本発明の一態様は、基地局との間で無線信号を送受信する送受信部と、前記基地局から受信した異周波測定指示に基づき、スモールギャップメジャメントの適用が指示されているか判断するスモールギャップメジャメント判定部と、前記スモールギャップメジャメントの適用が指示されていると判断すると、前記スモールギャップメジャメントを実行する異周波測定部とを有するユーザ装置に関する。
【００１１】
本発明の他の態様は、ユーザ装置との間で無線信号を送受信する送受信部と、前記ユーザ装置に異周波測定を指示する異周波測定指示部とを有する基地局であって、前記送受信部は、測定対象の各キャリアにおけるスモールギャップメジャメントの適用可否を示すスモールギャップメジャメント適用可否情報を前記ユーザ装置から受信し、前記異周波測定指示部は、前記受信したスモールギャップメジャメント適用可否情報に基づきスモールギャップメジャメントの適用要否の指示を含む異周波測定指示を前記ユーザ装置に通知する基地局に関する。
【００１２】
本発明の他の態様は、基地局によるユーザ装置に異周波測定を指示する方法であって、測定対象の各キャリアにおけるスモールギャップメジャメントの適用可否を示すスモールギャップメジャメント適用可否情報を前記ユーザ装置から受信するステップと、前記受信したスモールギャップメジャメント適用可否情報に基づき、前記測定対象の各キャリアについてスモールギャップメジャメントが適用可能であるか判断するステップと、前記測定対象の全てのキャリアにスモールギャップメジャメントが適用可能であると判断すると、前記スモールギャップメジャメントの適用指示を示す異周波測定指示を前記ユーザ装置に通知するステップとを有する方法に関する。
【発明の効果】
【００１３】
本発明によると、後方互換性を維持しながらスモールギャップメジャメントによる異周波測定を実現するための技術を提供することができる。
【図面の簡単な説明】
【００１４】
【図１】図１は、単一のＲＦ回路による異周波測定タイミングを示す概略図である。
【図２】図２は、スモールギャップメジャメントを示す概略図である。
【図３】図３は、本発明の一実施例による無線通信システムを示す概略図である。
【図４】図４は、本発明の一実施例によるユーザ装置の構成を示すブロック図である。
【図５】図５は、本発明の一実施例による異周波測定指示の具体例を示す図である。
【図６】図６は、本発明の一実施例によるメジャメントギャップに関連する各種フィールドを示す図である。
【図７】図７は、本発明の一実施例による基地局の構成を示すブロック図である。
【図８】図８は、本発明の一実施例による基地局における異周波測定指示処理を示すフロー図である。
【発明を実施するための形態】
【００１５】
以下、図面に基づいて本発明の実施の形態を説明する。
【００１６】
スモールギャップメジャメントを適用した異周波測定をサポートしたユーザ装置が開示される。後述される実施例では、ユーザ装置は、測定対象の各キャリアにおけるスモールギャップメジャメントの適用可否を示すスモールギャップメジャメント適用可否情報を在圏基地局に送信する。当該スモールギャップメジャメント適用可否情報は、例えば、基地局への接続時などに能力情報において通知してもよい。受信したスモールギャップメジャメント適用可否情報に基づき、在圏基地局は、測定対象の各キャリアについてスモールギャップメジャメントが適用可能であるか判断する。測定対象の全てのキャリアにスモールギャップメジャメントが適用可能である場合、在圏基地局は、測定対象の各キャリアに対してスモールギャップメジャメントを適用した異周波測定を実行するようユーザ装置に指示する。他方、測定対象の少なくとも１つのキャリアにスモールギャップメジャメントが適用不可である場合、在圏基地局は、測定対象の全てのキャリアに対してスモールギャップメジャメントを適用することなく異周波測定を実行するようユーザ装置に指示する。例えば、スモールギャップメジャメントの適用を指示する場合、基地局は、異周波測定通知において、メジャメントギャップパターンＩＤと共に、スモールギャップメジャメントの適用を示すスモールギャップメジャメント設定通知をユーザ装置に通知してもよい。当該スモールギャップメジャメント設定通知を受信すると、ユーザ装置は、受信したメジャメントギャップパターンＩＤにより特定されたメジャメントギャップの一部のサブフレーム（最初と最後の２つのサブフレームなど）において異周波測定を実行する。これにより、従来のメジャメントギャップパターンＩＤを使用した異周波測定指示に対して追加的な情報エレメントを利用するのみによって、ユーザ装置にスモールギャップメジャメントの適用を指示することが可能になる。
【００１７】
図３を参照して、本発明の一実施例による無線通信システムを説明する。図３は、本発明の一実施例による無線通信システムを示す概略図である。
【００１８】
図３に示されるように、無線通信システム１０は、ユーザ装置１００及び基地局２００〜２０２を有する。無線通信システム１０では、ユーザ装置１００は、複数の基地局２００〜２０２により提供されるセルの１以上を用いて通信する。図示される実施例では、ユーザ装置１００は、基地局２００に在圏する。また、基地局２００の隣接基地局として基地局２０１，２０２が配置され、ユーザ装置１００は、基地局２００との間の通信状態が劣化した場合、隣接基地局２０１，２０２の何れかにハンドオーバすることにより通信を継続することが可能である。また、ユーザ装置１００がキャリアアグリゲーション機能を有している場合、プライマリセルを提供する基地局２００は、隣接基地局２０１，２０２により提供されるセルをセカンダリセルとしてユーザ装置１００に対して設定してもよい。
【００１９】
このようなハンドオーバの実行及びキャリアアグリゲーションにおける新たなセルの設定のため、ユーザ装置１００は、隣接基地局２０１，２０２との通信状態を測定するため異周波測定を実行することが要求される。この異周波測定期間では、ユーザ装置１００は、在圏基地局２００により提供されるセルと異なる周波数帯域にＲＦ回路をスイッチするため、在圏基地局２００との間で通信することができなくなる。
【００２０】
ユーザ装置１００は、このような送信不可期間を短縮するため、基地局２００により指定されたメジャメントギャップの最初のサブフレームと最後のサブフレームとにおいてのみ異周波測定を実行するスモールギャップメジャメント機能を有する。典型的には、ユーザ装置１００は、図示されるように、スマートフォン、携帯電話、タブレット、モバイルルータなどの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００〜２０２との間で無線信号を送受信するためのＲＦ回路などから構成される。本実施例によるＲＦ回路は、単一のチップから構成され、複数の周波数帯域に同時にチューニングすることはできない。このため、ユーザ装置１００は、異周波測定を実行するために在圏セルとの通信を一時的に中断するためのメジャメントギャップを必要とする。後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００２１】
基地局２００〜２０２は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００が在圏基地局として機能し、基地局２０１，２０２が隣接基地局として機能する。基地局２００は、ユーザ装置１００との間の通信状態が劣化した場合、ユーザ装置１００に対して隣接基地局２０１，２０２へのハンドオーバを指示してもよい。また、ユーザ装置１００がキャリアアグリゲーション機能を有する場合、基地局２００は、基地局２００が提供する異なる周波数帯域のセルをセカンダリセルとしてユーザ装置１００に設定してもよいし（イントラキャリアアグリゲーション）、隣接基地局２０１，２０２が提供するセルをセカンダリセルとして設定してもよい（デュアルコネクティビティ）。
【００２２】
次に、図４を参照して、本発明の一実施例によるユーザ装置を説明する。図４は、本発明の一実施例によるユーザ装置の構成を示すブロック図である。
【００２３】
図４に示されるように、ユーザ装置１００は、送受信部１１０、スモールギャップメジャメント測定部１２０及び異周波測定部１３０を有する。
【００２４】
送受信部１１０は、基地局２００との間で無線信号を送受信する。送受信部１１０は、基地局２００からデータ信号及び制御信号を含むダウンリンク無線信号を受信すると共に、基地局２００にデータ信号及び制御信号を含むアップリンク無線信号を送信する。本実施例では、送受信部１１０は、基地局２００からの異周波測定指示として、メジャメントギャップを特定するメジャメントギャップパターンＩＤと共に、スモールギャップメジャメント設定通知を受信する。
【００２５】
メジャメントギャップパターンＩＤは、異周波測定のために規定された各メジャメントギャップパターンを特定する識別子である。各メジャメントギャップパターンは、メジャメントギャップの長さや繰り返し期間などにより規定され、基地局２００から予め通知されてもよい。スモールギャップメジャメント通知は、メジャメントギャップパターンＩＤに対応するメジャメントギャップの最初のサブフレームと最後のサブフレームとにおいて異周波測定を実行することを指示するためのものである。しかしながら、本発明はこれに限定されず、スモールギャップメジャメント通知は、例えば、メジャメントギャップパターンＩＤに対応するメジャメントギャップの何れか一部のサブフレームにおいて異周波測定を実行することを指示するためのものであってもよい。送受信部１１０は、受信した異周波測定指示をスモールギャップメジャメント判定部１２０にわたす。
【００２６】
スモールギャップメジャメント判定部１２０は、基地局２００から受信した異周波測定指示に基づき、スモールギャップメジャメントの適用が指示されているか判断する。
【００２７】
一実施例では、スモールギャップメジャメント判定部１２０は、受信した異周波測定指示に含まれるスモールギャップメジャメント通知に設定された値に基づき、スモールギャップメジャメントの適用が指示されているか判断してもよい。例えば、スモールギャップメジャメント判定部１２０は、送受信部１１０から受信した異周波測定指示におけるスモールギャップメジャメント設定通知の設定値を判断し、当該設定値がＴＲＵＥに設定されている場合、異周波測定においてスモールギャップメジャメントを適用することが基地局２００により指示されていると判断してもよい。他方、当該設定値がＦＡＬＳＥに設定されている場合、スモールギャップメジャメント判定部１２０は、異周波測定においてスモールギャップメジャメントを適用しないことが基地局２００により指示されていると判断してもよい。
【００２８】
他の実施例では、スモールギャップメジャメント判定部１２０は、スモールギャップメジャメントの適用を指示するスモールギャップメジャメント通知が異周波測定指示に含まれているかに基づき、スモールギャップメジャメントの適用が指示されているか判断してもよい。例えば、スモールギャップメジャメント判定部１２０は、送受信部１１０から受信した異周波測定指示にスモールギャップメジャメント設定通知が含まれている場合、異周波測定においてスモールギャップメジャメントを適用することが基地局２００により指示されていると判断してもよい。他方、異周波測定指示にスモールギャップメジャメント設定通知が含まれていない場合、スモールギャップメジャメント判定部１２０は、異周波測定においてスモールギャップメジャメントを適用しないことが基地局２００により指示されていると判断してもよい。
【００２９】
具体的には、ＬＴＥ規格では、図５及び６に示されるように、ＭｅａｓＣｏｎｆｉｇ情報エレメントにおいてｓｍａｌｌＭｅａｓＧａｐフィールドがＴＲＵＥに設定されている場合、スモールギャップメジャメント判定部１２０は、スモールギャップメジャメントを適用した異周波測定が指示されていると判断する。他方、当該ｓｍａｌｌＭｅａｓＧａｐフィールドは任意的なフィールドであり、当該フィールドがＭｅａｓＣｏｎｆｉｇ情報エレメントに含まれていない場合、スモールギャップメジャメント判定部１２０は、スモールギャップメジャメントを適用しない異周波測定が指示されていると判断してもよい。
【００３０】
その後、スモールギャップメジャメント判定部１２０は、判定結果を異周波測定部１３０に通知する。
【００３１】
異周波測定部１３０は、スモールギャップメジャメントの適用が指示されていると判断すると、スモールギャップメジャメントを実行する。一実施例では、異周波測定部１３０は、異周波測定指示におけるメジャメントギャップパターンＩＤに対応するメジャメントギャップの最初のサブフレームと最後のサブフレームとにおいて異周波測定を実行することによって、スモールギャップメジャメントを実行してもよい。しかしながら、本発明は、これに限定されず、メジャメントギャップパターンＩＤに対応するメジャメントギャップの何れか一部のサブフレームにおいて異周波測定を実行してもよい。例えば、異周波測定部１３０は、メジャメントギャップの最初のサブフレームのみ、メジャメントギャップの最後のサブフレームのみ、あるいはメジャメントギャップの所定の一部のサブフレームにおいて異周波測定を実行してもよい。
【００３２】
他方、スモールギャップメジャメントの適用が指示されていないと判断すると、異周波測定部１３０は、メジャメントギャップパターンＩＤに対応するメジャメントギャップにおいて異周波測定を実行してもよい。すなわち、異周波測定部１３０は、従来の異周波測定と同様に、メジャメントギャップパターンＩＤに対応するメジャメントギャップ（６ｍｓなど）全体で異周波測定を実行する。
【００３３】
一実施例では、異周波測定部１３０は、測定対象の各キャリアにおけるスモールギャップメジャメントの適用可否を示すスモールギャップメジャメント適用可否情報を有し、送受信部１１０は、基地局２００に当該スモールギャップメジャメント適用可否情報を送信してもよい。例えば、異周波測定部１３０は、ユーザ装置１００のＲＦ回路が通信可能な各キャリア又は周波数帯域においてスモールギャップメジャメントが適用可能であるかを示すスモールギャップメジャメント適用可否情報を予め取得している。例えば、ユーザ装置１００のＲＦ回路が互いに異なる周波数帯域のキャリアＡ，Ｂ，Ｃにおいて通信可能であり、キャリアＡ，Ｃにおいてスモールギャップメジャメントが適用可能であり、キャリアＢにおいてスモールギャップメジャメントが適用不可である場合、異周波測定部１３０は、キャリアＡ，Ｃがスモールギャップメジャメントに適用可能であり、キャリアＢがスモールギャップメジャメントに適用不可であることを示すスモールギャップメジャメント適用可否情報を有している。
【００３４】
例えば、基地局２００への接続時や基地局２００からの要求に応答して、異周波測定部１３０は、当該スモールギャップメジャメント適用可否情報をユーザ装置１００の能力情報として基地局２００に提供する。後述するように、基地局２００は、受信したスモールギャップメジャメント適用可否情報に基づきスモールギャップメジャメントの適用の指示を含む異周波測定指示をユーザ装置１００に通知する。
【００３５】
複数のキャリア又は周波数帯域に対してスモールギャップメジャメントを適用した異周波測定を実行する場合、異周波測定部１３０は、メジャメントギャップパターンＩＤに対応するメジャメントギャップの第１の繰り返しにおいて、第１のキャリア又は周波数帯域に対してスモールギャップメジャメントを適用した異周波測定を実行し、第２の繰り返しにおいて、第２のキャリア又は周波数帯域に対してスモールギャップメジャメントを適用した異周波測定を実行するなどしてもよい。
【００３６】
このように実行された異周波測定の結果は、適宜基地局２００に報告される。
【００３７】
次に、図７を参照して、本発明の一実施例による基地局を説明する。図７は、本発明の一実施例による基地局の構成を示すブロック図である。
【００３８】
図７に示されるように、基地局２００は、送受信部２１０及び異周波測定指示部２２０を有する。
【００３９】
送受信部２１０は、ユーザ装置１００との間で無線信号を送受信すると共に、測定対象の各キャリアにおけるスモールギャップメジャメントの適用可否を示すスモールギャップメジャメント適用可否情報をユーザ装置１００から受信する。例えば、送受信部２１０は、ユーザ装置１００からデータ信号及び制御信号を含むアップリンク無線信号を受信すると共に、ユーザ装置１００にデータ信号及び制御信号を含むダウンリンク無線信号を送信する。また、送受信部２１０は、ユーザ装置１００による基地局２００への接続時又は基地局２００による要求に応答して、ユーザ装置１００から能力情報としてスモールギャップメジャメント適用可否情報を受信してもよい。スモールギャップメジャメント適用可否情報は、ユーザ装置１００が測定可能な各キャリア又は各周波数帯域においてスモールギャップメジャメントが適用可能であるか示す。
【００４０】
異周波測定指示部２２０は、ユーザ装置１００に異周波測定を指示すると共に、受信したスモールギャップメジャメント適用可否情報に基づきスモールギャップメジャメントの適用要否の指示を含む異周波測定指示をユーザ装置１００に通知する。例えば、異周波測定指示部２２０は、ユーザ装置１００との間の通信状態の劣化などの何れかの契機に従って、又は定期的に異周波測定指示をユーザ装置１００に通知してもよい。
【００４１】
一実施例では、異周波測定指示部２２０は、メジャメントギャップを特定するメジャメントギャップパターンＩＤと共に、スモールギャップメジャメントの適用の指示を示す値が設定されたスモールギャップメジャメント設定通知を異周波測定指示に含めることによって、スモールギャップメジャメントの適用の指示を示してもよい。例えば、異周波測定指示部２２０は、ユーザ装置１００に対して異周波測定においてスモールギャップメジャメントの適用を指示する場合、メジャメントギャップを特定するメジャメントギャップパターンＩＤと共に、ＴＲＵＥに設定された値を有するスモールギャップメジャメント設定通知を含む異周波測定指示をユーザ装置１００に送信してもよい。他方、ユーザ装置１００に対して異周波測定においてスモールギャップメジャメントの不適用を指示する場合、異周波測定指示部２２０は、メジャメントギャップを特定するメジャメントギャップパターンＩＤと共に、ＦＡＬＳＥに設定された値を有するスモールギャップメジャメント設定通知を含む異周波測定指示をユーザ装置１００に送信してもよい。
【００４２】
他の実施例では、異周波測定指示部２２０は、メジャメントギャップを特定するメジャメントギャップパターンＩＤと共に、スモールギャップメジャメントの適用の指示を示すスモールギャップメジャメント設定通知を異周波測定指示に含めるか否かによって、スモールギャップメジャメントの適用の指示を示してもよい。すなわち、異周波測定指示部２２０は、ユーザ装置１００に対して異周波測定においてスモールギャップメジャメントの適用を指示する場合、メジャメントギャップを特定するメジャメントギャップパターンＩＤと共にスモールギャップメジャメント設定通知を含む異周波測定指示をユーザ装置１００に送信してもよい。他方、ユーザ装置１００に対して異周波測定においてスモールギャップメジャメントの不適用を指示する場合、異周波測定指示部２２０は、スモールギャップメジャメント設定通知を含めることなく、メジャメントギャップを特定するメジャメントギャップパターンＩＤのみを含む異周波測定指示をユーザ装置１００に送信してもよい。
【００４３】
具体的には、ＬＴＥ規格では、スモールギャップメジャメントを適用した異周波測定を指示する場合、異周波測定指示部２２０は、ＭｅａｓＣｏｎｆｉｇ情報エレメントにおいてｓｍａｌｌＭｅａｓＧａｐフィールドをＴＲＵＥに設定してもよい。他方、スモールギャップメジャメントを適用しない異周波測定を指示する場合、異周波測定指示部２２０は、任意的なフィールドである当該ｓｍａｌｌＭｅａｓＧａｐフィールドをＭｅａｓＣｏｎｆｉｇ情報エレメントに含めることなく、ユーザ装置１００に通知してもよい。
【００４４】
また、一実施例では、異周波測定指示部２２０は、受信したスモールギャップメジャメント適用可否情報に基づき、測定対象の各キャリアについてスモールギャップメジャメントが適用可能であるか判断し、測定対象の全てのキャリアにスモールギャップメジャメントが適用可能である場合、スモールギャップメジャメントの適用の指示を示す異周波測定指示をユーザ装置１００に通知し、測定対象のキャリアの少なくとも１つにスモールギャップメジャメントが適用不可である場合、スモールギャップメジャメントの不適用の指示を示す異周波測定指示をユーザ装置１００に通知してもよい。上述したように、スモールギャップメジャメント適用可否情報は、測定対象の各キャリア又は周波数帯域についてスモールギャップメジャメントが適用可能であるか示す。例えば、隣接基地局２０１により提供されるキャリアＡ及び隣接基地局２０２により提供されるキャリアＢの双方においてスモールギャップメジャメントが適用可能である場合、異周波測定指示部２２０は、スモールギャップメジャメントの適用の指示を示す異周波測定指示をユーザ装置１００に通知する。他方、隣接基地局２０１により提供されるキャリアＡにおいてスモールギャップメジャメントが適用可能である一方、隣接基地局２０２により提供されるキャリアＢにおいてスモールギャップメジャメントが適用不可である場合、異周波測定指示部２２０は、スモールギャップメジャメントの不適用を示す異周波測定指示をユーザ装置１００に通知する。このように、異周波測定指示部２２０は、全てのキャリア又は周波数帯域においてスモールギャップメジャメントが適用可能である場合、メジャメントギャップパターンＩＤと共に、ＴＲＵＥが設定されたスモールギャップメジャメント設定通知を異周波測定指示に含めることによって、ユーザ装置１００に対してスモールギャップメジャメントを適用した異周波測定を指示してもよい。他方、測定対象の少なくとも１つのキャリア又は周波数帯域においてスモールギャップメジャメントが適用不可である場合、異周波測定指示部２２０は、メジャメントギャップパターンＩＤと共に、ＦＡＬＳＥが設定されたスモールギャップメジャメント設定通知を異周波測定指示に含めることによって、ユーザ装置１００に対してスモールギャップメジャメントを適用しない異周波測定を指示してもよい。
【００４５】
次に、図８を参照して、本発明の一実施例による基地局による異周波測定指示処理を説明する。図８は、本発明の一実施例による基地局における異周波測定指示処理を示すフロー図である。
【００４６】
図８に示されるように、ステップＳ１０１において、基地局２００は、測定対象の各キャリアにおけるスモールギャップメジャメントの適用可否を示すスモールギャップメジャメント適用可否情報をユーザ装置１００から受信する。例えば、基地局２００は、ユーザ装置１００の接続時などに受信するユーザ装置１００の能力情報において当該スモールギャップ適用可否情報を取得してもよい。
【００４７】
ステップＳ１０２において、基地局２００は、受信したスモールギャップメジャメント適用可否情報に基づき、測定対象の各キャリアについてスモールギャップメジャメントが適用可能であるか判断する。
【００４８】
測定対象の全てのキャリアにスモールギャップメジャメントが適用可能である場合（Ｓ１０２：ＹＥＳ）、ステップＳ１０３において、基地局２００は、ユーザ装置１００に対してスモールギャップメジャメントを適用した異周波測定を指示する。具体的には、基地局２００は、メジャメントギャップＩＤ及びスモールギャップメジャメントの適用を示すスモールギャップメジャメント設定通知をユーザ装置１００に通知する。例えば、基地局２００は、スモールギャップメジャメント設定通知の値をＴＲＵＥに設定することによって、ユーザ装置１００に対してスモールギャップメジャメントを適用した異周波測定指示を通知してもよい。例えば、ＬＴＥ規格では、図５及び６に示されるように、ＭｅａｓＣｏｎｆｉｇ情報エレメントにおいてｓｍａｌｌＭｅａｓＧａｐフィールドがＴＲＵＥに設定されている場合、スモールギャップメジャメントを適用した異周波測定が指示されている。
【００４９】
他方、測定対象の少なくとも１つのキャリアにスモールギャップメジャメントが適用不可である場合（Ｓ１０２：ＮＯ）、ステップＳ１０４において、基地局２００は、ユーザ装置１００に対してスモールギャップメジャメントを適用しない異周波測定を指示する。具体的には、基地局２００は、メジャメントギャップＩＤ及びスモールギャップメジャメントの不適用を示すスモールギャップメジャメント設定通知をユーザ装置１００に通知する。例えば、ＬＴＥ規格では、図５及び６に示されるように、当該ｓｍａｌｌＭｅａｓＧａｐフィールドは任意的なフィールドであり、当該フィールドがＭｅａｓＣｏｎｆｉｇ情報エレメントに含まれていない場合、スモールギャップメジャメントを適用しない異周波測定が指示されている。
【００５０】
その後、ユーザ装置１００は、受信した異周波測定指示に応じて、スモールギャップメジャメントを適用した異周波測定を実行するか、又はスモールギャップメジャメントを適用しない異周波測定を実行する。
【００５１】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５２】
１０  無線通信システム
１００  ユーザ装置
２００〜２０２  基地局
【図１】
2015186034.tif 000003
【図２】
2015186034.tif 000004
【図３】
2015186034.tif 000005
【図４】
2015186034.tif 000006
【図５】
2015186034.tif 000007
【図６】
2015186034.tif 000008
【図７】
2015186034.tif 000009
【図８】
2015186034.tif 000010